(57)【特許請求の範囲】
【請求項１】
透明部材からなり、パーソナルコンピュータのモニタ画面上に配設されて筆記具によって書き込み可能な平面を有するメモシートと、
該メモシートを該モニタ画面の一辺に装着する装着部と、を備え、
前記装着部は、前記メモシートを前記モニタ画面の一辺に、該一辺側で回動可能に装着され、
該一辺側で回動させた該メモシートを該モニタ画面の裏面側に固定する固定部をさらに備える、ことを特徴とするメモ具。
【請求項２】
前記メモシートは、複数枚の単位シートを積層配置して構成され、
各単位シートは分離可能に構成される、ことを特徴とする請求項１に記載のメモ具。
【発明の詳細な説明】
【技術分野】
【０００１】
本発明は、筆記具によって書き込み可能な平面を有するメモ具に関する。
【背景技術】
【０００２】
従来、筆記具によってメモを取るためのメモ具が知られており、メモ具について開示する文献も存在する（例えば、特許文献１参照。）。このようなメモ具は、パソコン（パーソナルコンピュータ）を使用しながら使用することも想定される。
【０００３】
例えば、ノートブック型パソコンとともにメモ具を持ち歩き必要に応じてメモを取ることや、デスクトップ型パソコンのモニタ画面に表示された内容のメモを取るなどといったことである。
【０００４】
しかし、周囲に作業スペースがなく、メモ具を載置してメモを取る空間が確保できない場合がある。特に外出先などでノートブック型パソコンを使用して作業する場合には、周囲に作業スペースがないことが多い。
【０００５】
そこで、特許文献２では、ノートブック型パソコンのキーボード上に載置して作業台として使用できるキーボードカバーが提案されている。
【先行技術文献】
【特許文献】
【０００６】
【特許文献１】実開昭６１−０８５４７３号公報
【特許文献２】登録実用新案第３１２９１９５号公報
【発明の概要】
【発明が解決しようとする課題】
【０００７】
しかしながら、特許文献２に開示される技術では、キーボードカバーでパソコンのキーボードが覆われてしまうため、キーボードを利用したパソコン操作をしつつメモを取ることが出来ないという問題がある。
【０００８】
本発明は、以上の問題点に鑑みてなされたものであり、その目的とするところは、メモ具を載置するための作業空間を必要とせずにパソコン操作をしながらメモを取ることを可能とするメモ具を提供することである。
【課題を解決するための手段】
【０００９】
請求項１に記載の発明によると、透明部材からなり、パーソナルコンピュータのモニタ画面上に配設されて筆記具によって書き込み可能な平面を有するメモシートと、該メモシートを該モニタ画面の一辺に装着する装着部と、を備え、前記装着部は、前記メモシートを前記モニタ画面の一辺に、該一辺側で回動可能に装着され、該一辺側で回動させた該メモシートを該モニタ画面の裏面側に固定する固定部をさらに備える、ことを特徴とするメモ具が提供される。
【００１１】
請求項２に記載の発明によると、メモシートは、複数枚の単位シートを積層配置して構成され、各単位シートは分離可能に構成されるメモ具が提供される。
【発明の効果】
【００１２】
本発明によると、メモ具は、メモを書き込むためのメモシートがモニタ画面上に配設されるため、メモ具を置くための作業スペースがパソコンの周囲に必要となることがない。また、透明部材からなるメモシートを備えるため、メモシートを透過してモニタ画面に表示される情報をメモシート上にメモとして書き込むことができる。また、書き込んだ後もメモの隙間からモニタ画面の表示を視認することが可能であり、メモを残したままパソコン操作を行うことも可能である。
【００１３】
また、容易にモニタ画面上からメモシートを除去し、さらに、除去された状態を維持することができ、メモ具の使用、不使用の切り替えのための操作性が良好なものとなる。また、メモ具を不使用とする際には、メモシートがモニタ画面の裏面側に配置されるためメモシートがパソコン操作の邪魔になることがなく、通常のパソコン操作が可能となる。また、メモシートを取り外さずにモニタ画面の裏側に収められるため、メモシートの置き場所に困ることもない。
【００１４】
また、特に、請求項２に記載の構成によれば、メモを記した単位シートを適宜取り外して持ち運ぶことも可能となる。
【図面の簡単な説明】
【００１５】
【図１】実施例１のメモ具の使用形態について説明する斜視図である。
【図２】メモ具の構成について説明する斜視図である。
【図３】メモ具の構成について説明する側面図である。
【図４】（Ａ）はデスクトップ型のパソコンのモニタ画面についての使用形態について示す斜視図である。（Ｂ）はタブレット型のパソコンについての使用形態について示す斜視図である。
【図５】実施例２のメモ具の使用形態について説明する斜視図である。
【発明を実施するための形態】
【実施例１】
【００１６】
以下、本発明の実施形態を図面を参照して詳細に説明する。図１は本発明の一実施形態にかかるメモ具１の使用形態について示す斜視図、図２はメモ具１の構成について示す斜視図、図３はメモ具１を装着したパソコン２について示す側面図である。
【００１７】
図１乃至図３に示すように、メモ具１は、パソコン２のモニタ画面２２上に配置されるメモシート１２と、メモシート１２をモニタ画面２２に装着するための装着部１４，１４を有している。
【００１８】
メモシート１２は、透明部材にて構成され、モニタ画面２２と重ねて配置した際に、メモシート１２が透けることによってモニタ画面２２に表示される画像が視認できるように構成される。
【００１９】
メモシート１２の材質としては、透明部材を構成するものであれば特に限定されるものではないが、例えば、ＰＥＴ（ポリエチレンテレフタラート）を用いること考えられる。また、無色透明、有色透明のいずれであってもよい。
【００２０】
メモシート１２の光の透過率については、透過性を呈するものであれば特に限定されるものでないが、透過率を高くしてモニタ画面２２の画像が明確に表示される仕様や、透過率を低くしてメモシート１２上に書き留められるメモをより際立たせる仕様（モニタ画面２２の画像の明確な表示を抑える）など、各種の仕様に応じて適宜設定することが考えられる。
【００２１】
メモシート１２の形態としては、モニタ画面２２に対向させて配置されるものであれば特に限定されるものではないが、例えば、１．０ｍｍから３．０ｍｍ程度の厚みを有するシート状の形態や、１．０ｍｍ以下の厚みとしたフィルム状の形態などとすることが考えられる。なお、本実施形態のようにメモシート１２の大きさをモニタ画面２２の表示面２２ａの全体を覆う大きさとするほか、モニタ画面２２の表示面２２ａの一部を覆う大きさで構成してもよい。
【００２２】
メモシート１２の表面は、水性ペンなどの筆記具３０によって、文字や図形などのメモが書き込み可能な平面を構成する。メモシート１２の表面は、書き込まれたメモが削除用具によって削除される（消される）ことが可能であり、繰り返し使用可能な表面で構成さえることが好ましい。
【００２３】
メモを削除するための削除用具は、用いられる筆記具３０に応じて適宜選定されるものであり、例えば、紙、布、アルコール（エタノール）液剤など、オフィスや作業現場などで容易に手に入るものが使用されることが想定される。
【００２４】
メモシート１２には装着部１４，１４が配置されており、装着部１４，１４を介してメモシート１２がパソコン２のモニタ画面２２に取り付けられるように構成される。
【００２５】
本実施形態では、モニタ画面２２の表示パネルを覆う矩形の枠部分２４の一辺である上辺２４ｈに対し、装着部１４，１４を介してメモシート１２が取り付けられる。
【００２６】
装着部１４，１４は、メモシート１２の上辺部１２ｈの幅方向において、複数箇所（本実施形態では２箇所）に配置されており、枠部分２４の上辺２４ｈの部位に対して装着される。
【００２７】
装着部１４は、例えば、可撓性、伸縮性などを呈することでフレキシブルに変形する帯状部材１５にて構成され、その裏面側（枠部分２４の上辺２４ｈに対向させる側の面）に貼着部１６が配置される。
【００２８】
装着部１４の帯状部材１５がフレキシブルに変形することで、図３の拡大部分に示すように、モニタ画面２２の上辺２４ｈの外形形状に沿って帯状部材１５が変形可能となる。これにより、モニタ画面２２の枠部分２４（上辺２４ｈ）の形状を問うことなく、様々な形状のモニタ画面２２についてメモ具１を使用すること可能となる。
【００２９】
加えて、装着部１４の帯状部材１５がフレキシブルに変形することで、図３に示すように、メモシート１２を上側に開くように回動させるだけで、モニタ画面２２の裏面２２ｂにメモシート１２を対向させることが可能となる。
【００３０】
これにより、メモを取る必要がないときには、メモシート１２をモニタ画面２２の表示面２２ａから容易に除去することが可能となり、また、メモを取る必要が生じた際には、モニタ画面２２の表示面２２ａ側にメモシート１２を容易に配置することができる。
【００３１】
装着部１４の貼着部１６は、粘着フィルムや両面テープなどからなる層を帯状部材１５の裏面に形成することで設けられ、図３の拡大部分に示すように、モニタ画面２２の裏面２２ｂに貼着される。なお、一対の面ファスナーを用い、一方を装着部１４側、他方をモニタ画面２２の枠部分２４に設け、面ファスナー同士の着脱が容易に行える構成としてもよい。
【００３２】
さらに、以上の実施形態において、装着部１４は、メモシート１２をモニタ画面２２の上辺２４ｈに、上辺２４ｈ側で回動可能に装着されることとし、メモ具１は、上辺２４ｈ側で回動させたメモシート１２をモニタ画面２２の裏面２２ｂ側に固定する固定部２６を有する構成とすることが好ましい。
【００３３】
本実施形態では、メモ具１のメモシート１２の表面１２ａの角部分に、固定部２６が配置される構成とし、メモシート１２が回動されてモニタ画面２２の裏面２２ｂに対向した際に、固定部２６がモニタ画面２２の裏面２２ｂに貼着される構成としている。
【００３４】
固定部２６は、モニタ画面２２の裏面２２ｂに貼着されるものであれば特に限定されるものでないが、例えば、粘着フィルムや両面テープなどで構成することができる。なお、一対の面ファスナーを用い、一方をメモシート１２側、他方をモニタ画面２２の裏面２２ｂに設け、面ファスナー同士の着脱がなされる構成としてもよい。
【００３５】
また、固定部２６を指で摘めるような形状で構成し、メモシート１２を回動させる際のツマミとして用いることとしてもよい。
【００３６】
また、固定部２６をメモシート１２の側部に配置することで、メモ具１を使用する際に固定部２６がモニタ画面２２の表示面２２ａと重ならないようにすることとしてもよい。
【００３７】
以上のように固定部２６を設けることによれば、容易にモニタ画面２２上からメモシート１２を除去し、さらに、除去された状態を維持することができ、メモ具１の使用、不使用の切り替えのための操作性が良好なものとなる。
【００３８】
また、メモ具１を不使用とする際には、メモシート１２がモニタ画面２２の裏面側に配置されるため、メモシート１２がパソコン操作の邪魔になることがなく、通常のパソコン操作が可能となる。
【００３９】
また、メモシート１２を取り外さずにモニタ画面２２の裏側に収められるため、メモシート１２の置き場所に困ることもない。
【００４０】
特に、持ち歩きが想定されるノートブック型のパソコンの場合には、固定部２６によりメモシート１２をモニタ画面２２の裏面２２ｂに固定することで、メモシート１２をパソコンに付設したまま一体的に持ち歩くことが可能となり、また、メモシート１２がモニタ画面２２の裏面２２ｂに重ねた状態で収められるため、優れた携帯性を確保することができる。
【００４１】
そして、以上のように構成したメモ具１を用いることで、図１に示すように、モニタ画面２２上にメモシート１２を配設した状態とした上で、メモシート１２に筆記具３０を用いてメモ４０を書き込むことが可能となる。
【００４２】
このようなメモ具１の使用形態によれば、メモ４０を書き込むためのメモシート１２がモニタ画面２２上に配設されるため、メモ具１を置くための作業スペースがパソコン２の周囲に必要となることがない。
【００４３】
また、透明部材からなるメモシート１２を備えるため、メモシート１２を透過してモニタ画面２２に表示される情報をメモシート１２上にメモ４０として書き込むことができる。また、書き込んだ後もメモ４０の隙間からモニタ画面２２の表示を視認することが可能であり、メモ４０を残したままパソコン操作を行うことも可能である。
【００４４】
また、メモシート１２がモニタ画面２２上にあるため、キーボート３がメモシート１２によって覆われることがなく、パソコン操作（キーボード操作）をしながらメモを取ることが可能となる。
【００４５】
また、メモシート１２に記載されたメモを削除用具を用いて削除することによれば、メモシート１２を繰り返し使用することが可能となる。
【００４６】
また、メモシート１２をモニタ画面２２に対して着脱自在な構成とすることによれば、メモシート１２をモニタ画面２２から取り外して、メモが記されたメモシート１２だけ持ち歩くといったことも可能となる。
【００４７】
さらに、本発明にかかるメモ具１は、以上に説明したノートブック型のパソコン２について使用するほか、図４（Ａ）に示すように、デスクトップ型のパソコンのモニタ画面２２Ａに装着して用いる実施形態や、図４（Ｂ）に示すように、タブレット型のパソコン４のモニタ画面に装着して用いる実施形態なども考えられる。
【００４８】
また、本実施形態では、メモシート１２をモニタ画面２２の上辺２４ｈに装着することで、メモシート１２が上下方向に回動される構成としたが、このほか、側辺２４ｓ（図２）に対してメモシート１２が装着されることで、メモシート１２が左右方向に回動される構成としてもよい。
【００４９】
また、本実施形態では、一枚のメモシート１２を有する構成としたが、多数枚のメモシート（単位シート）を積層配置し、メモを記した単位シートを適宜取り外して持ち運び可能なように構成してもよい。
【実施例２】
【００５０】
次に、実施例２について説明する。図５に示すメモ具５０は、透明部材からなり、パーソナルコンピュータ（パソコン２）のモニタ画面２２上に配設されて筆記具によって書き込み可能な平面を有するメモシート５２と、メモシート５２をモニタ画面２２の一辺である上辺２４ｈに装着する装着部と、を備えた構成としている
【００５１】
メモシート５２は、透明部材からなる単位シート５４，５４を複数枚積層して構成される。単位シート５４は、例えば、ＰＥＴ（ポリエチレンテレフタラート）からなる無色透明、あるいは、有色透明の部材にて構成できる。
【００５２】
単位シート５４の形態としては、モニタ画面２２に対向させて配置されるものであれば特に限定されるものではないが、例えば、１．０ｍｍから３．０ｍｍ程度の厚みを有するシート状の形態や、１．０ｍｍ以下の厚みとしたフィルム状の形態などとすることが考えられる。なお、本実施形態のように単位シート５４（メモシート５２）の大きさをモニタ画面２２の表示面２２ａの一部を覆う大きさとするほか、モニタ画面２２の表示面２２ａの全体を覆う大きさで構成してもよい。
【００５３】
単位シート５４の裏面の一部には、装着部５５が設けられている。本実施形態では、単位シート５４の上辺５４ｈに沿う帯状の粘着層にて装着部５５が構成される。この装着部５５により、単位シート５４を重ねた際に、裏面にある装着部５５が他の単位シート５４の表面に貼着され、各単位シート５４を張り合わせてなるひと纏まりのメモシート５２が構成される。
【００５４】
そして、最下層に位置する単位シート５４の装着部５５は、モニタ画面２２の枠部分２４（上辺２４ｈ）に貼着され、これにより、メモシート５２がモニタ画面２２上に重ねられるようにして配置される
【００５５】
以上のように構成したメモ具５０では、モニタ画面２２上にメモシート５２を配設した状態とした上で、メモシート５２に筆記具３０を用いてメモ４０を書き込むことが可能となる。
【００５６】
このようなメモ具５０の使用形態によれば、メモ４０を書き込むためのメモシート５２がモニタ画面２２上に配設されるため、メモ具５０を置くための作業スペースがパソコン２の周囲に必要となることがない。
【００５７】
また、透明部材からなるメモシート５２を備えるため、メモシート５２を透過してモニタ画面２２に表示される情報をメモシート５２上にメモ４０として書き込むことができる。また、書き込んだ後もメモ４０の隙間からモニタ画面２２の表示を視認することが可能であり、メモ４０を残したままパソコン操作を行うことも可能である。
【００５８】
また、メモシート５２がモニタ画面２２上にあるため、キーボート３がメモシート５２によって覆われることがなく、パソコン操作（キーボード操作）をしながらメモを取ることが可能となる。
【００５９】
さらに、本発明にかかるメモ具５０は、以上に説明したノートブック型のパソコン２について使用するほか、デスクトップ型のパソコンのモニタ画面に装着して用いる実施形態や、タブレット型のパソコンのモニタ画面に装着して用いる実施形態なども考えられる。
【００６０】
また、本実施形態では、メモシート５２をモニタ画面２２の上辺２４ｈに装着することで、このほか、側辺２４ｓに対してメモシート５２が装着される構成としてもよい。
【００６１】
また、メモシート５２が複数枚の単位シート５４を積層配置して構成することで、メモが記された最上層の単位シート５４を剥がして持ち運ぶことも可能となる。
【００６２】
また、メモシート５２がモニタ画面２２の一辺（上辺２４ｈ）に対して回動可能な構成とすることで、メモシート５２をモニタ画面の裏面側に収める構成としてもよい。
【符号の説明】
【００６３】
１    メモ具
２    実施例
３    キーボート
１２    メモシート
１４    装着部
２２    モニタ画面
２２ａ    表示面
２４    枠部分
２４ｈ    上辺
２４ｓ    側辺
２６    固定部
３０    筆記具
４０    メモ
【図１】
0006032939.tif 000002
【図２】
0006032939.tif 000003
【図３】
0006032939.tif 000004
【図４】
0006032939.tif 000005
【図５】
0006032939.tif 000006